【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】
ＡＴＭネットワーク内で使用するための交換装置において、
ＡＴＭセルを交換するためのスイッチ体；
ＡＴＭセルからパケットを再組立てするための再組立て手段；および、
交換装置に送信されたＡＴＭセルを受信するように接続され、また第１のデータ送達経路手段により前記スイッチ体へ接続され、そして第１のデータ送達経路手段とは分離した第２のデータ送達経路手段によって前記再組立て手段へ接続されており、さらに、再組立て手段による再組立てを必要とする１または複数の予め定められたパケットタイプに属する受信ＡＴＭセルを、それぞれの再組立てセルとして識別するように作動可能であると共に、このような識別された再組立てセル以外の受信セルを、前記スイッチ体による交換のため前記第１のデータ送達経路手段を介してスイッチ体に送信するように作動可能であり、そして前記再組立てセルを、再組立て手段によりパケットに再組立てするため、前記第２のデータ送達経路手段を介して、前記再組立て手段に送信するように作動可能であるトラフィック管理手段；
を含んでなる交換装置。
【請求項２】
交換装置の作動を制御するためのホスト手段であって、再組立て手段によって再組立てされたパケットをこの再組立て手段より受信するため前記再組立て手段に対し作動的に接続されているようなホスト手段をさらに含んでなる請求項１に記載の装置。
【請求項３】
前記第２のデータ送達経路手段によってまた前記トラフィック管理手段に接続されるセグメント化手段をさらに含み、このセグメント化手段は、交換装置内でローカルに生成されたパケットを、複数のＡＴＭセルへセグメント化し、前記複数のセルを、前記第２のデータ送達経路手段を介してトラフィック管理手段へ送信するように作動可能である請求項１又は２に記載の装置。
【請求項４】
前記トラフィック管理手段には、スイッチ体によって形成されたデータ転送経路を介してＡＴＭセルを交換するための前記第１のデータ送達経路手段によって前記スイッチ体にそれぞれ接続されている複数の個別トラフィック管理デバイスが含まれておりそして前記第２のデータ送達経路手段は、再組立て手段に対し、そして具備されている場合には前記セグメント化手段に対して、個別トラフィック管理デバイスを共通に接続するバス手段からなる請求項１〜３のいずれか一項に記載の装置。
【請求項５】
ＡＴＭネットワーク内で使用するための交換装置において、
ＡＴＭセルを交換するためのスイッチ体、
交換装置内でローカルに生成されたパケットを複数のＡＴＭセルにセグメント化するためのセグメント化手段、および
第１のデータ送達経路手段により前記スイッチ体に接続され、またこの第１のデータ送達経路手段とは分離した第２のデータ送達経路手段によって前記セグメント化手段に接続され、しかも、スイッチ体によって交換されたセルを前記第１のデータ送達経路手段を介してスイッチ体から受信しかつ前記複数のセルを前記第２のデータ送達経路手段を介してセグメント化手段から受信し、スイッチ体から受信した交換後のセルおよびセグメント化手段から受信した前記複数のセルを含むＡＴＭセルストリームを出力するように作動するトラフィック管理手段
を含んでなる交換装置。
【請求項６】
ＡＴＭ交換装置に送信されたＡＴＭセルを交換するためのスイッチ体を有し、またＡＴＭ交換装置に送信されたＡＴＭセルからパケットを再組立てするための再組立て手段をも有するＡＴＭ交換装置内で使用するためのトラフィック管理デバイスにおいて、
ＡＴＭセルを受信するためのセル受信手段、
前記セル受信手段に接続され、ＡＴＭ交換装置の前記再組立て手段による再組立てを必要とする１または複数の予め定められたパケットタイプに属するような受信セルをそれぞれの再組立てセルとして識別するように作動するセル識別手段、および
デバイスが使用中であるときに前記スイッチ体に接続するように適合されている第１のポート手段をもち、またデバイスが使用中であるときに前記再組立て手段に接続するよう適合されている、前記第１のポート手段とは分離した第２のポート手段を有し、識別された再組立てセル以外の受信セルを前記第１のポート手段に送信し、前記再組立てセルを前記第２のポート手段に送信するように作動可能である、セル出力手段
を含んでなるトラフィック管理デバイス。
【請求項７】
ＡＴＭ交換装置に送達されたＡＴＭセルを交換するためのスイッチ体を有し、またＡＴＭ交換装置によってローカルに生成されたパケットを、ＡＴＭ交換装置から出力されるべき複数のＡＴＭセルへセグメント化するためのセグメント化手段も有する該ＡＴＭ交換装置の中で使用するためのトラフィック管理デバイスにおいて、
デバイスが使用中であるとき前記スイッチ体に接続するように適合された第１のポート手段を有し、またデバイスが使用中であるとき前記セグメント化手段に接続するように適合された、前記第１のポート手段から分離した第２のポート手段をも有し、しかも、スイッチ体によって交換されたセルを前記第１のポート手段で受信し前記複数のセルを前記第２のポート手段で受信するように作動可能である、セル入力手段；および
スイッチ体から受信された交換後のセルを含みまた前記複数のセルも含むＡＴＭセルストリームを出力するためのセル出力手段
を含んでなるトラフィック管理デバイス。
【請求項８】
場合に応じて、前記予め定められたタイプまたは前記複数の予め定められたタイプのうちの１つのタイプのパケットは、インターネットプロトコルパケットであり、さらに交換装置を通るパケットフローを検出すべくかかる再組立て後のインターネットプロトコルパケットを検査するための前記再組立て手段と接続されたインターネットプロトコルスイッチ制御装置手段をさらに含んでなる請求項１〜７のいずれか一項に記載の装置。
【請求項９】
ＡＴＭネットワーク内で使用するための交換装置において、
ＡＴＭセルを交換するためのスイッチ体、
交換装置を通るインターネットプロトコルフローを検出するためのインターネットプロトコルスイッチ制御装置手段、および
交換装置に送達されたＡＴＭセルを受信するように接続され、また第１のデータ送達経路手段により前記スイッチ体にまた第１のデータ送達経路手段とは分離した第２のデータ送達経路手段により前記インターネットプロトコルスイッチ制御装置手段に接続され、しかもそのデフォルトルーティグモードにおいてかかるフローに属するものとして検出されなかったパケットを構成するような受信ＡＴＭセルをデフォルトルーティングセルとして識別し、これらのセルを前記第２のデータ送達経路手段を介して前記インターネットプロトコルスイッチ制御装置手段に送信するように作動可能であるトラフィック管理手段、
を含んでなり、ここに
トラフィック管理手段はまた、かかるフローに属するパケットを構成するような受信されたＡＴＭセルが前記第１のデータ送達経路手段を介してスイッチ体に直接送信されるカットスルー交換モードでも作動可能である
交換装置。
【請求項１０】
ＡＴＭ交換装置に送達されたＡＴＭセルを交換するためのスイッチ体を有し、また交換装置を通るインターネットプロトコルフローを検出するためのインターネットプロトコルスイッチ制御装置手段をも有するＡＴＭ交換装置内で使用するためのトラフィック管理デバイスにおいて、
ＡＴＭセルを受信するためのセル受信手段、
デバイスが使用中であるときに前記スイッチ体に接続するように適合されている第１のポート手段を有し、またデバイスが使用中であるときに前記インターネットプロトコルスイッチ制御装置手段に接続するよう適合されている、前記第１のポート手段とは分離した第２のポート手段を有するセル出力手段；および
前記セル受信手段に接続されるセル識別手段であって、
そのデフォルトルーティングモードにおいて、かかるフローに属するものとして検出されなかったパケットを構成するような受信ＡＴＭセルをデフォルトルーティングセルとして識別し、そして前記インターネットプロトコルスイッチ制御装置手段に対する転送のため前記第２のポート手段にこれらのセルを送信するように作動可能であり、
またかかるフローに属するものとして検出されたパケットを構成するような受信ＡＴＭセルを、スイッチ体への直接転送のために第１のポート手段まで送信するカットスルー交換モードでも作動可能である、セル識別手段
を含んでなるトラフィック管理デバイス。
【手続補正２】
【補正対象書類名】明細書
【補正対象項目名】００９１
【補正方法】変更
【補正の内容】
【００９１】
ＳＡＲバス２６はまた、フローに対し上流および下流ノードに対しアラームを出すのに必要とされるシグナリングメッセージＡ〜Ｄに属するセルを伝送するためにも使用できる（ただし、好ましい場合には、ホストバス２８を介してシグナリングメッセージをトラフィック管理デバイスまで送信することも可能である）。
以上詳しく述べた本発明の実施形態は以下のとおりである。
（付記１）ＡＴＭネットワーク内で使用するための交換装置において、  ＡＴＭセルを交換するためのスイッチ体；
ＡＴＭセルからパケットを再組立てするための再組立て手段；および、
交換装置に送信されたＡＴＭセルを受信するように接続され、また第１のデータ送達経路手段により前記スイッチ体へ接続され、そして第１のデータ送達経路手段とは分離した第２のデータ送達経路手段によって前記再組立て手段へ接続されており、さらに、再組立て手段による再組立てを必要とする１または複数の予め定められたパケットタイプに属する受信ＡＴＭセルを、それぞれの再組立てセルとして識別するように作動可能であると共に、このような識別された再組立てセル以外の受信セルを、前記スイッチ体による交換のため前記第１のデータ送達経路手段を介してスイッチ体に送信するように作動可能であり、そして前記再組立てセルを、再組立て手段によりパケットに再組立てするため、前記第２のデータ送達経路手段を介して、前記再組立て手段に送信するように作動可能であるトラフィック管理手段；
を含んでなる交換装置。
（付記２）場合に応じて、前記予め定められたタイプのパケットまたは前記予め定められた複数のタイプのうちの１つのタイプのパケットが、シグナリングメッセージを構成する付記１に記載の装置。
（付記３）交換装置の作動を制御するためのホスト手段であって、再組立て手段によって再組立てされたパケットをこの再組立て手段より受信するため前記再組立て手段に対し作動的に接続されているようなホスト手段をさらに含んでなる付記１または２に記載の装置。
（付記４）場合に応じて前記予め定められたタイプのまたは前記予め定められた複数のタイプのうちの１つのタイプのパケットが、もう１つのＡＴＭネットワークエンティティのホスト手段によって交換装置の前記ホスト手段に向けられたホスト間通信メッセージを構成している付記３に記載の装置。
（付記５）場合に応じて、前記予め定められたタイプのまたは前記予め定められた複数のタイプのうちの１つのタイプのパケットが、ＡＡＬ５メッセージを含む付記１〜４のいずれか一項に記載の装置。
（付記６）前記トラフィック管理手段にはセル識別手段を含み、このセル識別手段は、受信した各ＡＴＭセルのヘッダの仮想パス識別子および／または仮想チャネル識別子フィールドを検査し、かかる検査の結果に応じて当該セルがこのような再組立てセルとして識別されるべきか否かを決定すべく作動可能である付記１〜５のいずれか一項に記載の装置。
（付記７）前記第２のデータ送達経路手段によってまた前記トラフィック管理手段に接続されるセグメント化手段をさらに含み、このセグメント化手段は、交換装置内でローカルに生成されたパケットを、複数のＡＴＭセルへセグメント化し、前記複数のセルを、前記第２のデータ送達経路手段を介してトラフィック管理手段へ送信するように作動可能である付記１〜６のいずれか一項に記載の装置。
（付記８）前記第２のデータ送達経路手段にはそれぞれの単方向送信受信経路手段が含まれ、その受信経路手段は、トラフィック管理手段から再組立て手段まで識別された再組立てセルを送信するように機能し、その送信経路手段は、前記セグメント化手段からトラフィック管理手段まで前記複数のセルを送信するように機能する付記７に記載の装置。
（付記９）前記セグメント化手段および前記再組立て手段が、同一のセグメント化および再組立てデバイスの各一部をなす付記７または８に記載の装置。
（付記１０）前記トラフィック管理手段には、スイッチ体によって形成されたデータ転送経路を介してＡＴＭセルを交換するための前記第１のデータ送達経路手段によって前記スイッチ体にそれぞれ接続されている複数の個別トラフィック管理デバイスが含まれておりそして前記第２のデータ送達経路手段は、再組立て手段に対し、そして具備されている場合には前記セグメント化手段に対して、個別トラフィック管理デバイスを共通に接続するバス手段からなる付記１〜９のいずれか一項に記載の装置。
（付記１１）前記再組立て手段が、前記バス手段のマスターデバイスとして作動可能であり、各トラフィック管理デバイスがこのバス手段のスレーブデバイスとして作動可能であり、
前記再組立て手段には、
前記トラフィック管理デバイスのいずれかが受信したＡＴＭセルがそのような再組立てセルとして識別したか否かを決定するために、各該トラフィック管理デバイスに対してポーリングを行うポーリング手段および
前記トラフィック管理デバイスのうちの１つがそのような再組立てセルを識別したことを前記ポーリング手段が決定した場合に、そのセルを有するトラフィック管理デバイスが前記バス手段を介して再組立て手段にそれを送信するように作動可能なデータ読取り手段、
が含まれている付記１０に記載の装置。
（付記１２）前記バス手段が、Ｕｎｉｖｅｒｓａｌ−Ｔｅｓｔ−ａｎｄ−Ｏｐｅｒａｔｉｏｎｓ−ＰＨＹ−Ｉｎｔｅｒｆａｃｅ−ｆｏｒ−ＡＴＭ（ＵＴＯＰＩＡ）レベル２（ルックアライク）バス手段である付記１０または１１に記載の装置。
（付記１３）交換装置が使用中であるとき、ビットストリームを伝送するＡＴＭネットワーク伝送ラインに接続するための少なくとも１つのデータポート；および
その伝送ラインまたは各伝送ラインが伝送するビットストリームを１または複数の対応するＡＴＭセルストリームに変換して前記トラフィック管理手段まで送信するための前記トラフィック管理手段とデータポートまたは各データポートとの間に接続された物理レイヤ手段をさらに含んでなる付記１〜１２のいずれか一項に記載の装置。
（付記１４）ＡＴＭネットワーク内で使用するための交換装置において、
ＡＴＭセルを交換するためのスイッチ体、
交換装置内でローカルに生成されたパケットを複数のＡＴＭセルにセグメント化するためのセグメント化手段、および
第１のデータ送達経路手段により前記スイッチ体に接続され、またこの第１のデータ送達経路手段とは分離した第２のデータ送達経路手段によって前記セグメント化手段に接続され、しかも、スイッチ体によって交換されたセルを前記第１のデータ送達経路手段を介してスイッチ体から受信しかつ前記複数のセルを前記第２のデータ送達経路手段を介してセグメント化手段から受信し、スイッチ体から受信した交換後のセルおよびセグメント化手段から受信した前記複数のセルを含むＡＴＭセルストリームを出力するように作動するトラフィック管理手段
を含んでなる交換装置。
（付記１５）ＡＴＭ交換装置に送信されたＡＴＭセルを交換するためのスイッチ体を有し、またＡＴＭ交換装置に送信されたＡＴＭセルからパケットを再組立てするための再組立て手段をも有するＡＴＭ交換装置内で使用するためのトラフィック管理デバイスにおいて、
ＡＴＭセルを受信するためのセル受信手段、
前記セル受信手段に接続され、ＡＴＭ交換装置の前記再組立て手段による再組立てを必要とする１または複数の予め定められたパケットタイプに属するような受信セルをそれぞれの再組立てセルとして識別するように作動するセル識別手段、および
デバイスが使用中であるときに前記スイッチ体に接続するように適合されている第１のポート手段をもち、またデバイスが使用中であるときに前記再組立て手段に接続するよう適合されている、前記第１のポート手段とは分離した第２のポート手段を有し、識別された再組立てセル以外の受信セルを前記第１のポート手段に送信し、前記再組立てセルを前記第２のポート手段に送信するように作動可能である、セル出力手段
を含んでなるトラフィック管理デバイス。
（付記１６）前記セル識別手段は、受信されたＡＴＭセルの各々のヘッダにおける仮想パス識別子および／または仮想チャネル識別子フィールドを検査するようにまたこのような検査の結果に基づいて当該セルをこのような再組立てセルとして識別すべきか否かを決定するように作動可能である付記１５に記載のデバイス。
（付記１７）ＡＴＭ交換装置に送達されたＡＴＭセルを交換するためのスイッチ体を有し、またＡＴＭ交換装置によってローカルに生成されたパケットを、ＡＴＭ交換装置から出力されるべき複数のＡＴＭセルへセグメント化するためのセグメント化手段も有する該ＡＴＭ交換装置の中で使用するためのトラフィック管理デバイスにおいて、
デバイスが使用中であるとき前記スイッチ体に接続するように適合された第１のポート手段を有し、またデバイスが使用中であるとき前記セグメント化手段に接続するように適合された、前記第１のポート手段から分離した第２のポート手段をも有し、しかも、スイッチ体によって交換されたセルを前記第１のポート手段で受信し前記複数のセルを前記第２のポート手段で受信するように作動可能である、セル入力手段；および
スイッチ体から受信された交換後のセルを含みまた前記複数のセルも含むＡＴＭセルストリームを出力するためのセル出力手段
を含んでなるトラフィック管理デバイス。
（付記１８）場合に応じて、前記予め定められたタイプまたは前記複数の予め定められたタイプのうちの１つのタイプのパケットは、インターネットプロトコルパケットであり、さらに交換装置を通るパケットフローを検出すべくかかる再組立て後のインターネットプロトコルパケットを検査するための前記再組立て手段と接続されたインターネットプロトコルスイッチ制御装置手段をさらに含んでなる付記１〜１７のいずれか一項に記載の装置。
（付記１９）トラフィック管理手段は、
そのデフォルトルーティングモードで、予め定められたデフォルト入力仮想チャネルを介してＡＴＭネットワークの上流ノードからのインターネットプロトコルパケットを受信し、前記予め定められたデフォルト入力仮想チャネルに属する受信ＡＴＭセルをこのような再組立てセルとして識別し、前記インターネットプロトコルスイッチ制御装置手段が再組立てされたパケットの検査によってパケットフローを検出できるようにすべく前記再組立て手段に対し前記第２のデータ送達経路手段を介してこれらのセルを送信するように作動可能であり、
このようなパケットフローが前記インターネットプロトコルスイッチ制御装置手段によって検出されたときに、前記予め定められたデフォルト入力仮想チャネルとは異なる新しい入力仮想チャネルを介してトラフィック管理手段により検出されたパケットフローを構成する後続パケットのセルが受信されかかる再組立てセルとしてこれらのセルが識別されず前記第１のデータ送達経路手段を介してスイッチ体に直接送信されるようなカットスルー交換モードにて作動するように、交換可能である付記１８に記載の装置。
（付記２０）パケットフローに属するものとして前記インターネットプロトコルスイッチ制御装置手段によって検出されない再組立てパケットが、複数のセルにセグメント化され、これらのセルは前記スイッチ体へ送信するためにトラフィック管理手段に戻るように転送される付記１８または１９に記載の装置。
（付記２１）前記スイッチ体を通過した後、前記複数のセルが、予め定められたデフォルト出力仮想チャネルを介して、ＡＴＭネットワークの下流ノードに出力される付記２０に記載の装置。
（付記２２）前記カットスルー交換モードでのトラフィック管理手段の作動中に、検出されたパケットフローを構成する前記後続パケットのセルが、前記予め定められたデフォルト出力仮想チャネルとは異なる新しい出力仮想チャネルを介して、トラフィック管理手段によって出力される付記２１に記載の装置。
（付記２３）かかるパケットフローを前記インターネットプロトコルスイッチ制御装置手段が検出したときに、トラフィック管理手段は、前記スイッチ体を介して検出されたパケットフローのセルを交換するための帯域幅を確保することになる付記１９〜２２のいずれか一項に記載の装置。
（付記２４）ＡＴＭネットワーク内で使用するための交換装置において、
ＡＴＭセルを交換するためのスイッチ体、
交換装置を通るインターネットプロトコルフローを検出するためのインターネットプロトコルスイッチ制御装置手段、および
交換装置に送達されたＡＴＭセルを受信するように接続され、また第１のデータ送達経路手段により前記スイッチ体にまた第１のデータ送達経路手段とは分離した第２のデータ送達経路手段により前記インターネットプロトコルスイッチ制御装置手段に接続され、しかもそのデフォルトルーティグモードにおいてかかるフローに属するものとして検出されなかったパケットを構成するような受信ＡＴＭセルをデフォルトルーティングセルとして識別し、これらのセルを前記第２のデータ送達経路手段を介して前記インターネットプロトコルスイッチ制御装置手段に送信するように作動可能であるトラフィック管理手段、
を含んでなり、ここに
トラフィック管理手段はまた、かかるフローに属するパケットを構成するような受信されたＡＴＭセルが前記第１のデータ送達経路手段を介してスイッチ体に直接送信されるカットスルー交換モードでも作動可能である
交換装置。
（付記２５）トラフィック管理手段は、
前記デフォルトルーティングモードにおいてデフォルト入力仮想チャネルを介してパケットを構成するセルを受信するように機能し、
それらのパケットがかかるフローを構成することをインターネットプロトコルスイッチ制御装置手段が検出した時点でデフォルトルーティングモードからカットスルー交換モードへと切換えることができ、
前記カットスルーモードにおいて、トラフィック管理手段は、前記デフォルト入力仮想チャネルとは異なるもう１つの入力仮想チャネルを介して検出されたフローの後続パケットを構成するセルを受信するように機能する付記２４に記載の装置。
（付記２６）ＡＴＭ交換装置に送達されたＡＴＭセルを交換するためのスイッチ体を有し、また交換装置を通るインターネットプロトコルフローを検出するためのインターネットプロトコルスイッチ制御装置手段をも有するＡＴＭ交換装置内で使用するためのトラフィック管理デバイスにおいて、
ＡＴＭセルを受信するためのセル受信手段、
デバイスが使用中であるときに前記スイッチ体に接続するように適合されている第１のポート手段を有し、またデバイスが使用中であるときに前記インターネットプロトコルスイッチ制御装置手段に接続するよう適合されている、前記第１のポート手段とは分離した第２のポート手段を有するセル出力手段；および
前記セル受信手段に接続されるセル識別手段であって、
そのデフォルトルーティングモードにおいて、かかるフローに属するものとして検出されなかったパケットを構成するような受信ＡＴＭセルをデフォルトルーティングセルとして識別し、そして前記インターネットプロトコルスイッチ制御装置手段に対する転送のため前記第２のポート手段にこれらのセルを送信するように作動可能であり、
またかかるフローに属するものとして検出されたパケットを構成するような受信ＡＴＭセルを、スイッチ体への直接転送のために第１のポート手段まで送信するカットスルー交換モードでも作動可能である、セル識別手段
を含んでなるトラフィック管理デバイス。
（付記２７）ＡＴＭセルを交換するためのスイッチ体、ＡＴＭセルからパケットを再組立てするための再組立て手段およびＡＴＭネットワーク交換装置に送信されたＡＴＭセルを受信するためのトラフィック管理手段を含む、該ＡＴＭネットワーク交換装置内で使用するための交換方法において、
再組立て手段による再組立てを必要とする１または複数の予め定められたパケットタイプに属するような受信ＡＴＭセルが、それぞれの再組立てセルとしてトラフィック管理手段によって識別され、
かかる識別された再組立てセル以外の受信セルが、トラフィック管理手段によって第１のデータ送達経路手段を介しスイッチ体に送信され、スイッチ体により交換され、
識別された再組立てセルは、第１のデータ送達経路手段とは分離した第２のデータ送達経路手段を介して、トラフィック管理手段から再組立て手段まで送信され、再組立て手段によりパケットに再組立てされる
交換方法。
（付記２８）ＡＴＭセルを交換するためのスイッチ体、ＡＴＭネットワーク交換装置内でローカルに生成されたパケットを複数のＡＴＭセルにセグメント化するためのセグメント化手段および、交換されたセルを出力するためのトラフィック管理手段を含む該ＡＴＭネットワーク交換装置内で使用される交換方法において、
スイッチ体によって交換されたセルが、第１のデータ送達経路手段を介してスイッチ体からトラフィック管理手段によって受信され、
セグメント化手段によって生成された複数のセルが、前記第１のデータ送達経路手段とは分離した第２のデータ送達経路手段を介して、トラフィック管理手段によって受信され、
スイッチ体から受信された交換後のセルおよびセグメント化手段から受信された前記複数のセルを含むＡＴＭセルストリームが、トラフィック管理手段によって出力される
交換方法。
（付記２９）ＡＴＭセルを交換するためのスイッチ体、インターネットプロトコルネットワーク交換装置を通るインターネットプロトコルフローを検出するためのインターネットプロトコルスイッチ制御装置手段および該インターネットプロトコルネットワーク交換装置に送信されたＡＴＭセルを受信するためのトラフィック管理手段を含む該インターネットプロトコルネットワーク交換装置内で使用される交換方法において、
かかるフローに属するものとして検出されたパケットを構成するような受信ＡＴＭセルが、第１のデータ送達経路手段を介してトラフィック管理手段からスイッチ体まで転送され、
かかるフローに属するものとして検出されなかったパケットを構成するような受信ＡＴＭセルが、トラフィック管理手段から、前記第１のデータ送達経路手段とは分離した第２のデータ送達経路手段を介してインターネットプロトコルスイッチ制御装置手段まで転送される
交換方法。